(57)【要約】【課題】排便又は排尿の少なくとも一方が済むタイミングでセンサによる測定を行い得るトイレ装置を提供する。【解決手段】トイレ装置１０のリモートコントローラ６０は、指先を測定対象とした測定を行う脈波センサ６７と、排便又は排尿の少なくとも一方が済んだことを推定する推定部６１Ａと、を備える。リモートコントローラ６０は、推定部６１Ａによって排便又は排尿の少なくとも一方が済んだことを推定した場合に脈波センサ６７を用いた測定を促す報知を行う表示部６５と、推定部６１Ａによって排便又は排尿の少なくとも一方が済んだことを推定した場合に脈波センサ６７を起動させる起動部６１Ｂと、を備える。【選択図】図３
2019082011.tif 000002
【特許請求の範囲】
【請求項１】
指先を測定対象とした測定を行うセンサと、
排便又は排尿の少なくとも一方が済んだことを推定する推定部と、
前記推定部によって排便又は排尿の少なくとも一方が済んだことを推定した場合に前記センサを用いた測定を促す報知を行う報知部、及び／又は前記推定部によって排便又は排尿の少なくとも一方が済んだことを推定した場合に前記センサを起動させる起動部と、
を備えることを特徴とするトイレ装置。
【請求項２】
便器本体の便鉢部に洗浄水を供給する便器洗浄部と、
前記便器洗浄部による洗浄水の供給動作を制御する供給制御部と、
を備え、
前記推定部は、前記供給制御部によって前記便器洗浄部による洗浄水の供給動作が制御される場合に、排便又は排尿の少なくとも一方が済んだことを推定することを特徴とする請求項１に記載のトイレ装置。
【請求項３】
洗浄ノズルを介して洗浄水を吐出する局部洗浄部と、
前記局部洗浄部による洗浄水の吐出を開始するオン動作、及び前記局部洗浄部による洗浄水の吐出を終了するオフ動作を制御する局部洗浄制御部と、
を備え、
前記推定部は、前記局部洗浄制御部によって前記局部洗浄部による前記オン動作又は前記オフ動作の少なくとも一方が制御される場合に、排便又は排尿の少なくとも一方が済んだことを推定することを特徴とする請求項１に記載のトイレ装置。
【請求項４】
便器本体の便鉢部内に排泄された大便又は小便の少なくとも一方を検知する便検知部を備え、
前記推定部は、前記便検知部によって前記便器本体の前記便鉢部内に排泄された大便を検知した場合に排便が済んだことを推定し、又は前記便検知部によって前記便器本体の前記便鉢部内に排泄された小便を検知した場合に排尿が済んだことを推定することを特徴とする請求項１に記載のトイレ装置。
【請求項５】
便座への着座を検知する着座検知部と、
前記センサが起動した後に前記センサを用いた測定が行われず、且つ前記着座検知部によって前記便座からの離座を検知した場合に、前記センサを停止させる停止部と、
を備えることを特徴とする請求項１乃至請求項４のいずれか１項に記載のトイレ装置。
【発明の詳細な説明】
【技術分野】
【０００１】
本発明はトイレ装置に関するものである。
【背景技術】
【０００２】
特許文献１に開示されるトイレット付属ユニットは、使用者が便座に着座した状態で血圧を測定する血圧計ユニットと、人体洗浄ノズルを有するビデ装置と、を備えている。このトイレット付属ユニットは、使用者が血圧測定ボタンと同時に洗浄ボタンを押した場合に、ビデ装置の使用中につき血圧を測定できないことを表示パネルに表示すると共に、対話画面を表示することにより血圧を測定するか股間部を洗浄するかを選択するよう使用者に要請する。そして、トイレット付属ユニットは、タッチ入力パネルの操作により使用者が血圧測定を選択すると、洗浄指令を取り消して、血圧を測定する。
【先行技術文献】
【特許文献】
【０００３】
【特許文献１】特開平９−１３４６７号公報
【発明の概要】
【発明が解決しようとする課題】
【０００４】
特許文献１のトイレット付属ユニットは、血圧測定と洗浄の選択時に血圧測定を選択した場合に、洗浄動作を停止した状態で血圧を測定することで、洗浄によって使用者の安静な状態が乱されることを防ぐ構成である。特許文献１のトイレット付属ユニットのように、人体を対象とした測定を行う場合、排便又は排尿の少なくとも一方が済んで交感神経が落ち着いた状態で行うことがより望ましい。上記トイレット付属ユニットでは、排便又は排尿の少なくとも一方が済むタイミングで血圧測定を行うために、使用者自ら血圧測定ボタンを押すタイミングを見計らう必要がある。しかしながら、上記トイレット付属ユニットにおいて、常に忘れることなく排便又は排尿の少なくとも一方が済むタイミングで血圧測定ボタンを押す作業を行うことは難しい。したがって、人体を対象とした測定を、排便又は排尿の少なくとも一方が済むタイミングで行うことができる構成が求められている。
【０００５】
本発明は、上記従来の実情に鑑みてなされたものであって、排便又は排尿の少なくとも一方が済むタイミングでセンサによる測定を行い得るトイレ装置を提供することを解決すべき課題としている。
【課題を解決するための手段】
【０００６】
本発明のトイレ装置は、
指先を測定対象とした測定を行うセンサと、
排便又は排尿の少なくとも一方が済んだことを推定する推定部と、
前記推定部によって排便又は排尿の少なくとも一方が済んだことを推定した場合に前記センサを用いた測定を促す報知を行う報知部、及び／又は前記推定部によって排便又は排尿の少なくとも一方が済んだことを推定した場合に前記センサを起動させる起動部と、
を備えることを特徴とする。
【０００７】
このトイレ装置は、推定部によって排便又は排尿の少なくとも一方が済んだことを推定することで、排便又は排尿の少なくとも一方が済んで交感神経が落ち着いた状態であることを推定することができる。そして、トイレ装置は、報知部を備える構成では、推定部によって排便又は排尿の少なくとも一方が済んだことを推定した場合に、報知部によってセンサを用いた測定を促す報知を行う。そのため、トイレ装置は、交感神経が落ち着いて脈動が安定した状態において、忘れずにセンサを用いた測定を行うように使用者に促すことができる。また、トイレ装置は、起動部を備える構成では、推定部によって排便又は排尿の少なくとも一方が済んだことを推定した場合に、起動部によってセンサを起動させる。そのため、トイレ装置は、脈動が安定した状態となるタイミングでセンサを起動させることができ、使用者自身がこのようなタイミングを見計らって起動操作を行う手間を省くことができる。
【図面の簡単な説明】
【０００８】
【図１】実施例１に係るトイレ装置が設けられたトイレルームの様子を示す説明図である。
【図２】図１のリモートコントローラを概略的に示す斜視図である。
【図３】図１のトイレ装置の電気的構成を概略的に例示するブロック図である。
【図４】図１のリモートコントローラで実行される制御の流れを示すフローチャートである。
【図５】実施例２のリモートコントローラで実行される制御の流れを示すフローチャートである。
【図６】実施例３のリモートコントローラで実行される制御の流れを示すフローチャートである。
【発明を実施するための形態】
【０００９】
本発明における好ましい実施の形態を説明する。
【００１０】
本発明のトイレ装置は、
便器本体の便鉢部に洗浄水を供給する便器洗浄部と、
前記便器洗浄部による洗浄水の供給動作を制御する供給制御部と、
を備え、
前記推定部は、前記供給制御部によって前記便器洗浄部による洗浄水の供給動作が制御される場合に、排便又は排尿の少なくとも一方が済んだことを推定し得る。
この場合、このトイレ装置は、供給制御部によって便器洗浄部の供給動作が制御されて便器本体に洗浄水が供給される場合、排便又は排尿の少なくとも一方が済んでいる可能性が高い。そのため、トイレ装置は、排便又は排尿の少なくとも一方が済み交感神経が落ち着いて脈動が安定した状態において、報知部による報知、及び／又は起動部によるセンサの起動を行うことができる。
【００１１】
本発明のトイレ装置は、
洗浄ノズルを介して洗浄水を吐出する局部洗浄部と、
前記局部洗浄部による洗浄水の吐出を開始するオン動作、及び前記局部洗浄部による洗浄水の吐出を終了するオフ動作を制御する局部洗浄制御部と、
を備え、
前記推定部は、前記局部洗浄制御部によって前記局部洗浄部による前記オン動作又は前記オフ動作の少なくとも一方が制御される場合に、排便又は排尿の少なくとも一方が済んだことを推定し得る。
この場合、このトイレ装置は、局部洗浄制御部によって局部洗浄部によるオン動作又はオフ動作の少なくとも一方が制御される場合、排便又は排尿の少なくとも一方が済んでいる可能性が高い。そのため、トイレ装置は、排便又は排尿の少なくとも一方が済み交感神経が落ち着いて脈動が安定した状態において、報知部による報知、及び／又は起動部によるセンサの起動を行うことができる。
【００１２】
本発明のトイレ装置は、
便器本体の便鉢部内に排泄された大便又は小便の少なくとも一方を検知する便検知部を備え、
前記推定部は、前記便検知部によって前記便器本体の前記便鉢部内に排泄された大便を検知した場合に排便が済んだことを推定し、又は前記便検知部によって前記便器本体の前記便鉢部内に排泄された小便を検知した場合に排尿が済んだことを推定し得る。
この場合、このトイレ装置は、便検知部によって便器本体の便鉢部内に排泄された大便を検知した場合、排便が済んでいる可能性が高く、便検知部によって便器本体の便鉢部内に排泄された小便を検知した場合、排尿が済んでいる可能性が高い。そのため、トイレ装置は、排便又は排尿の少なくとも一方が済み交感神経が落ち着いて脈動が安定した状態において、報知部による報知、及び／又は起動部によるセンサの起動を行うことができる。
【００１３】
本発明のトイレ装置は、
便座への着座を検知する着座検知部と、
前記センサが起動した後に前記センサを用いた測定が行われず、且つ前記着座検知部によって前記便座からの離座を検知した場合に、前記センサを停止させる停止部と、
を備え得る。
この場合、このトイレ装置は、着座検知部が使用者の便座からの離座を検知する場合、使用者が便座から離座してセンサを用いた測定が行われなくなる可能性が高い。そして、停止部は、使用者が便座から離座してセンサを用いた測定が不要となる場合に、起動状態のセンサを停止させるため、センサを停止しない場合に比べてセンサで消費される電力を低減することができる。
【００１４】
次に、本発明のトイレ装置を具体化した実施例について、図面を参照しつつ説明する。
【００１５】
＜実施例１＞
実施例１のトイレ装置１０は、図１に示すように、便器本体２０、便座装置３０、及びリモートコントローラ６０を備えている。トイレ装置１０は、リモートコントローラ６０が操作されることによって、便座装置３０の各種機能が発揮される。
【００１６】
便器本体２０は、図１に示すように、トイレルームの床面上に設置される床置き式の水洗式便器である。便器本体２０は、便鉢部２１が形成されている。便鉢部２１は、上端部が略楕円形状に開口した椀形状である。便鉢部２１は、洗浄水が滞留する溜水部（図示略）が下部に形成されている。溜水部は、洗浄水が排出される排水路（図示略）が連通されている。
【００１７】
便座装置３０は、図１に示すように、便器本体２０の上面に組み付けられている。便座装置３０は、便座３１、便蓋３２、及び本体３３を有している。本体３３は、便器本体２０に着脱可能に固定されている。本体３３は、後述する局部洗浄部４２、着座検知部４３、及び便検知部４４等の機能装置が組み付けられている。本体３３は、上記機能装置の動作等を制御する機能部５０を内部に収容する。機能部５０は、後述する制御部５１、及びメモリ５２等を備えている。本体３３は、便座３１、及び便蓋３２を、倒伏姿勢と起立姿勢との間で回動自在となるように軸支している。便座３１は、内側が開口した環状に形成されている。便座３１は、倒伏姿勢で便器本体２０の便鉢部２１の上端部に沿うように配置される。便蓋３２は、倒伏姿勢において便座３１を上方から覆い、便座３１の開口及び便鉢部２１の開口を塞ぐ。
【００１８】
図３は、トイレ装置１０の電気的構成を概略的に例示するブロック図である。便座装置３０は、図３に示すように、制御部５１、メモリ５２、通信部５３、電源部５４、便器洗浄部４１、局部洗浄部４２、着座検知部４３、及び便検知部４４を備えている。制御部５１は、公知のコンピュータとして構成され、便座装置３０全体を制御する情報処理装置として機能する。制御部５１は、メモリ５２、通信部５３、電源部５４、便器洗浄部４１、局部洗浄部４２、着座検知部４３、及び便検知部４４等が接続されている。制御部５１は、局部洗浄部４２、着座検知部４３、及び便検知部４４等を動作させるための制御信号を出力する。メモリ５２は、公知のメモリであり、局部洗浄部４２等の各機能装置を制御可能なシステムプログラム等が予め格納されている。通信部５３は、リモートコントローラ６０と無線通信する。通信部５３は、例えば赤外線通信を行う赤外線通信インタフェースとして構成されている。
【００１９】
電源部５４は、商用１００Ｖ電源などの外部電源から電力供給を受けて、所定の電源電圧を生成するように機能する公知の電源回路などによって構成されている。電源部５４は、出力する電源電圧が配線（図示略）を介して便器洗浄部４１、局部洗浄部４２、着座検知部４３、及び便検知部４４等の様々な電子装置に供給される。
【００２０】
便器洗浄部４１は、便鉢部２１に洗浄水を供給する装置である。便器洗浄部４１は、図示しない給水路、及び給水弁を備えている。給水路は、水道水等の洗浄水を便鉢部２１に供給する通路である。給水路は、便鉢部２１に通じている。給水弁は、例えば電磁弁として構成され、給水路の所定箇所に設けられている。給水弁は、給水路を開放する開状態で便鉢部２１に洗浄水を供給し、給水路を遮断する閉状態で便鉢部２１への洗浄水の供給を止める。
【００２１】
局部洗浄部４２は、リモートコントローラ６０からの制御信号に基づいて局部を洗浄する。局部洗浄部４２は、図１に示すように、洗浄水が吐出する洗浄ノズル４１Ａを備えている。局部洗浄部４２は、本体３３に形成された開口（図示略）を介して洗浄ノズル４１Ａが便鉢部２１内に向けて進退可能になっている。洗浄ノズル４１Ａは、洗浄時に便鉢部２１内に進出し、先端部から洗浄水が吐出することによって局部を洗浄する。
【００２２】
着座検知部４３は、使用者が便座３１に着座した状態を検知する。着座検知部４３は、図１に示すように、本体３３に組み付けられている。着座検知部４３は、公知の赤外線センサによって構成されている。着座検知部４３は、図示しない発光素子（例えばＬＥＤ等）、及び受光素子（例えばフォトダイオード等）を備えている。着座検知部４３は、発光素子から赤外線が照射され、着座している使用者の人体で反射された赤外線を受光素子によって受光することにより、便座３１上に使用者が着座していることを検知する。
【００２３】
便検知部４４は、使用者が排泄する便（大便、及び小便）を検知する。便検知部４４は、公知の赤外線センサによって構成されている。便検知部４４は、図示しない発光素子（例えばＬＥＤ等）、及び受光素子（例えばフォトダイオード等）を備えている。便検知部４４は、発光素子から赤外線が照射され、落下中の便で反射された赤外線を受光素子によって受光することにより、便が排泄されて便鉢部２１に落下することを検知する。複数の便検知部４４は、例えば、本体３３の異なる箇所にそれぞれ設けられており、異なる位置で大便、及び小便をそれぞれ検出する。
【００２４】
制御部５１は、図３に示すように、供給制御部５１Ａ、及び局部洗浄制御部５１Ｂの各機能が含まれている。制御部５１で実行される各機能は、ＣＰＵ等によるソフトウェア処理によって実現されてもよく、ハードウェア回路によって実現されてもよい。各機能は別々の装置によって実現されてもよく、共通の装置によって実現されてもよい。
【００２５】
供給制御部５１Ａは、便器洗浄部４１による洗浄水の供給動作を制御する機能を有する部分である。具体的には、供給制御部５１Ａは、便器洗浄部４１に洗浄水の供給制御信号を送信して、所定時間の間において給水弁を開状態に制御して、便鉢部２１に洗浄水を供給する。
【００２６】
局部洗浄制御部５１Ｂは、局部洗浄部４２による洗浄水の吐出を開始するオン動作、及び局部洗浄部４２による洗浄水の吐出を終了するオフ動作を制御する機能を有する部分である。具体的には、局部洗浄制御部５１Ｂは、局部洗浄部４２に洗浄水の吐出開始信号を送信して、洗浄水を吐出させる。また、局部洗浄制御部５１Ｂは、局部洗浄部４２に洗浄水の吐出停止信号を送信して、洗浄水の吐出を終了させる。
【００２７】
リモートコントローラ６０は、便座装置３０の各種機能を作動させるための入力装置である。リモートコントローラ６０は、使用者の操作に応じた操作信号を無線信号によって便座装置３０へ送信する。リモートコントローラ６０は、図２に示すように、長手箱状に形成されている。リモートコントローラ６０は、正面（壁面に対向する面とは反対の面）が操作面となっている。リモートコントローラ６０は、例えば、背面（壁面に対向する面）に溝が形成され、壁面に固定されたホルダー部材７０に形成されたレールに対して沿うようにスライドさせて差し込むことにより、リモートコントローラ６０を壁面に着脱可能に取り付けられる。
【００２８】
リモートコントローラ６０は、図２に示すように、筐体６０Ａ、操作部６３（操作ボタン６３Ａ、及び割当ボタン６３Ｂ）、表示部（請求項の「報知部」に相当）６５、及び脈波センサ（請求項の「センサ」に相当）６７を備えている。筐体６０Ａは、内部にマイコンや電池６６等が収容されている。操作部６３は、例えばボタン式の入力スイッチとして構成されている。操作ボタン６３Ａは、便座装置３０の動作、表示部６５の表示の変更等を行うために操作される。操作ボタン６３Ａは、予め各種機能のいずれかが割り当てられている。例えば、複数の操作ボタン６３Ａは、それぞれ便蓋の開閉、便器洗浄、局部洗浄の開始、及び局部洗浄の停止等の制御を行うためのボタンである。
【００２９】
表示部６５は、液晶表示器や有機ＥＬディスプレイなどの公知の表示装置によって構成されている。表示部６５は、使用者の操作に応じた情報や、便座装置３０の動作状態などの各種情報を表示する。
【００３０】
割当ボタン６３Ｂは、リモートコントローラ６０の操作内容や便座装置３０の動作状態に応じて機能の割り当てが変わるボタンである。表示部６５は、割当ボタン６３Ｂに隣接する部分（上側で隣接する部分）に、その時点で割当ボタン６３Ｂに割り当てられている機能を表示することで、ボタンと機能の対応を使用者が認識できる。リモートコントローラ６０は、使用者が押下した割当ボタン６３Ｂに対応する機能を、その時点での割り当てに基づいて特定し、後述する通信部６４から無線信号を送信させたり、表示部６５の表示を切り替えたりする。
【００３１】
脈波センサ６７は、使用者の指先から脈波波形のデータを取得する装置である。脈波センサ６７は、指置き部６７Ａ（図２参照）、発光素子（図示略）、及び受光素子（図示略）を備えている。指置き部６７Ａは、リモートコントローラ６０の操作面上に配置されている。発光素子は、例えばＬＥＤ等によって構成されている。受光素子は、例えばフォトダイオード等によって構成されている。脈波センサ６７は、発光素子によって光を照射し、指置き部６７Ａ上に置かれた使用者の指先の血管で反射された光を受光素子で受光する。脈波センサ６７は、指先の血管の拡張時と収縮時とで光の反射率が異なる現象を利用して、受光量の変動情報から血流の変化を使用者の脈波波形として検出する。
【００３２】
図３は、トイレ装置１０の電気的構成を概略的に例示するブロック図である。リモートコントローラ６０は、図３に示すように、制御部６１、メモリ６２、操作部６３（操作ボタン６３Ａ、及び割当ボタン６３Ｂ）、通信部６４、表示部６５、電池６６、及び脈波センサ６７を備えている。制御部６１は、公知のコンピュータとして構成され、リモートコントローラ６０全体を制御する情報処理装置として機能する。制御部６１は、メモリ６２、操作部６３、通信部６４、表示部６５、電池６６、及び脈波センサ６７等が接続されている。制御部６１は、表示部６５、及び脈波センサ６７等を動作させるための制御信号を出力する。メモリ６２は、公知のメモリであり、脈波センサ６７等の各機能装置を制御可能なシステムプログラム等が予め格納されている。操作部６３は、使用者による操作に応じて、制御部６１に対して操作信号を送信する。通信部６４は、便座装置３０と無線通信する。通信部６４は、例えば赤外線通信を行う赤外線通信インタフェースとして構成されている。電池６６は、所定の直流電圧を発生可能な乾電池等である。
【００３３】
制御部６１は、図３に示すように、推定部６１Ａ、起動部６１Ｂ、及び停止部６１Ｃの各機能が含まれている。制御部６１で実行される各機能は、ＣＰＵ等によるソフトウェア処理によって実現されてもよく、ハードウェア回路によって実現されてもよい。各機能は別々の装置によって実現されてもよく、共通の装置によって実現されてもよい。
【００３４】
推定部６１Ａは、排便又は排尿の少なくとも一方が済んだことを推定する機能を有する部分である。具体的には、推定部６１Ａは、便座装置３０の供給制御部５１Ａによって便器洗浄部４１による洗浄水の供給動作が制御される場合に、排便又は排尿の少なくとも一方が済んだことを推定する。すなわち、推定部６１Ａは、操作ボタン６３Ａの操作によって便器洗浄の操作信号を取得した場合に、使用者が排便又は排尿の少なくとも一方が済んだことで便（大便、及び小便）の洗浄操作を行っているとして、排便又は排尿の少なくとも一方が済んだことを推定する。
【００３５】
起動部６１Ｂは、推定部６１Ａによって排便又は排尿の少なくとも一方が済んだことが推定された場合に、脈波センサ６７を起動させる機能を有する部分である。具体的には、起動部６１Ｂは、操作ボタン６３Ａの操作によって便器洗浄の操作信号を取得した場合に、脈波センサ６７を起動状態にする。起動部６１Ｂは、脈波センサ６７の発光素子から光が照射され、受光素子で光が受光可能な状態として、脈波センサ６７を起動状態にする。
【００３６】
停止部６１Ｃは、脈波センサ６７が起動した後に脈波センサ６７を用いた測定が行われず、且つ便座装置３０の着座検知部４３によって便座３１からの離座を検知した旨の情報を受信した場合に、脈波センサ６７を停止させる機能を有する部分である。具体的には、停止部６１Ｃは、起動状態にある脈波センサ６７の指置き部６７Ａに指先が置かれず、且つ、所定時間（例えば、表示部３５で脈波測定を促す報知を行った時点からの所定時間）が経過するまでに、リモートコントローラ６０が使用者の便座３１からの離座を検知した旨の情報を受信した場合に、脈波センサ６７を停止状態にする。停止部６１Ｃは、脈波センサ６７の発光素子から光が照射されず、受光素子で光が受光できない状態として、脈波センサ６７を停止状態にする。
【００３７】
次に、リモートコントローラ６０で実行される制御の流れについて、図４等を参照して説明する。図４は、リモートコントローラ６０で実行される制御の流れを示すフローチャートである。リモートコントローラ６０は、使用者が便座３１に着座した状態において、使用者によって便器洗浄操作が行われることで（ステップＳ１１）、図４の処理を開始する。ステップＳ１１は、使用者によって操作ボタン６３Ａが押下されることで便器洗浄操作が行われる。ステップＳ１１の後、リモートコントローラ６０は、便器洗浄を指示する便器洗浄信号を便座装置３０に送信する（ステップＳ１２）。便座装置３０は、便器洗浄信号を受信して、便器洗浄処理を行う。具体的には、便座装置３０は、便器洗浄部４１によって便鉢部２１に洗浄水を供給し、便鉢部２１内の便（大便、及び小便）を溜水部に滞留していた洗浄水とともに排水路へと排出する。
【００３８】
ステップＳ１２の後、リモートコントローラ６０は、脈波センサ６７を起動させる（ステップＳ１３）。すなわち、リモートコントローラ６０は、ステップＳ１１において便器洗浄操作が行われた場合に、排便又は排尿の少なくとも一方が済んだとして、脈波センサ６７を起動状態にする。リモートコントローラ６０は、脈波センサ６７の発光素子から光が照射され、受光素子で光が受光可能な状態にして、脈波センサ６７を起動状態にする。ステップＳ１３の後、リモートコントローラ６０は、脈波センサ６７を用いた脈波測定を促す報知を行う（ステップＳ１４）。具体的には、リモートコントローラ６０は、表示部６５によって脈波の測定を促す表示（例えば「脈波センサに指を置いてください」等のコメントの表示）を行う。
【００３９】
ステップＳ１４の後、リモートコントローラ６０は、脈波センサ６７によって脈波が測定されたか否か判定する（ステップＳ１５）具体的には、リモートコントローラ６０は、指置き部６７Ａに指先が置かれたか否かを判定する。例えば、リモートコントローラ６０は、発光素子から光を照射するとともに受光素子で光が受光された場合に、発光素子から照射された光が指置き部６７Ａ上の指先で反射されて受光素子で受光されたとして、指置き部６７Ａに指先が置かれたと判定する。脈波センサ６７は、指置き部６７Ａに指先が置かれると、脈波（脈波波形のデータ）の測定を開始する。具体的には、脈波センサ６７は、受光素子で受光する受光量の時間変化を、脈波波形のデータとして測定する。リモートコントローラ６０は、脈波センサ６７によって脈波が測定されたと判定する場合、Ｙｅｓに進み、ステップＳ１９の処理を行う。
【００４０】
一方で、リモートコントローラ６０は、ステップＳ１５で、脈波センサ６７によって脈波が測定されていないと判定する場合、Ｎｏに進み、便座装置３０から離座に関する信号を受信したか否か判定する（ステップＳ１６）。便座装置３０は、使用者が便座３１から離座した場合に、着座検知部４３によって使用者が便座３１から離座した状態を検知する。便座装置３０は、リモートコントローラ６０に対して離座に関する信号を送信する。ステップＳ１６では、具体的には、リモートコントローラ６０は、脈波センサ６７を起動した後で（ステップＳ１３の後で）、離座に関する信号を受信したか否か判定する。リモートコントローラ６０は、離座に関する信号を受信したと判定する場合、Ｙｅｓに進み、脈波センサ６７を停止して（ステップＳ１８）、図４に示す処理を終了する。一方で、リモートコントローラ６０は、離座に関する信号を受信していないと判定する場合、Ｎｏに進み、所定時間（例えば、表示部３５で脈波測定を促す報知を行った時点からの所定時間）が経過したか否か判定する（ステップＳ１７）。リモートコントローラ６０は、所定時間が経過したと判定する場合、Ｙｅｓに進み、ステップＳ１８の処理を行う。一方で、リモートコントローラ６０は、所定時間が経過していないと判定する場合、Ｎｏに進み、再びステップＳ１５の処理を行う。
【００４１】
ステップＳ１９では、リモートコントローラ６０は、脈波波形の測定結果を表示部６５によって表示する。例えば、リモートコントローラ６０は、測定した脈波波形のデータに基づいて公知の方法（例えば、特開２０１２−１９９２６号公報等で示される方法）で特定した血管年齢や、ストレス度など、脈波波形のデータに関連する情報を表示部６５によって表示する。続いて、リモートコントローラ６０は、脈波センサ６７を停止させる（ステップＳ２０）。具体的には、リモートコントローラ６０は、脈波センサ６７の発光素子から光が照射されない状態にし、受光素子で光を受光しない状態にする。
【００４２】
ステップＳ２０の後、リモートコントローラ６０は、便座装置３０から離座に関する信号を受信したか否か判定する（ステップＳ２１）。便座装置３０は、使用者が便座３１から離座した場合に、着座検知部４３によって使用者が便座３１から離座した状態を検知する。便座装置３０は、リモートコントローラ６０に対して離座に関する信号を送信する。便座装置３０は、着座検知部４３によって使用者が便座３１から離座した状態を検知する。ステップＳ２１では、具体的には、リモートコントローラ６０は、測定結果を表示部６５によって表示した後で（ステップＳ１９の後で）、離座に関する信号を受信したか否か判定する。リモートコントローラ６０は、便座装置３０から離座に関する信号を受信したと判定する場合、Ｙｅｓに進み、ステップＳ２３の処理を行う。ステップＳ２３では、リモートコントローラ６０は、ステップＳ２０で表示部６５によって表示した測定結果の表示を終了する。ステップＳ２３の処理の後、図４に示す処理を終了する。
【００４３】
一方で、リモートコントローラ６０は、ステップＳ２１で、便座装置３０から離座に関する信号を受信していないと判定する場合、Ｎｏに進み、所定時間（例えば、脈波センサ６７を停止した時点（ステップＳ２０の処理を実行した時点）からの所定時間）が経過したか否か判定する（ステップＳ２２）。例えば、リモートコントローラ６０は、脈波センサ６７を停止した時点から３０秒が経過したか否か判定する。リモートコントローラ６０は、所定時間が経過したと判定する場合、Ｙｅｓに進み、ステップＳ２３の処理を行い、図４に示す処理を終了する。一方で、リモートコントローラ６０は、所定時間が経過していないと判定する場合、Ｎｏに進み、再びステップＳ２１の処理を行う。
【００４４】
以下、本構成の効果を例示する。
実施例１のトイレ装置１０は、推定部６１Ａによって排便又は排尿の少なくとも一方が済んだことを推定することで、排便又は排尿の少なくとも一方が済んで交感神経が落ち着いた状態であることを推定することができる。そして、トイレ装置１０は、推定部６１Ａによって排便又は排尿の少なくとも一方が済んだことを推定した場合に、表示部６５によって脈波センサ６７を用いた測定を促す報知を行う。そのため、トイレ装置１０は、交感神経が落ち着いて脈動が安定した状態において、忘れずに脈波センサ６７を用いた測定を行うように使用者に促すことができる。また、トイレ装置１０は、推定部６１Ａによって排便又は排尿の少なくとも一方が済んだことを推定した場合に、起動部６１Ｂによって脈波センサ６７を起動させる。そのため、トイレ装置１０は、脈動が安定した状態となるタイミングで脈波センサ６７を起動させることができ、使用者自身がこのようなタイミングを見計らって起動操作を行う手間を省くことができる。
【００４５】
トイレ装置１０は、便器本体２０の便鉢部２１に洗浄水を供給する便器洗浄部４１と、便器洗浄部４１による洗浄水の供給動作を制御する供給制御部５１Ａと、を備えている。推定部６１Ａは、供給制御部５１Ａによって便器洗浄部４１による洗浄水の供給動作が制御される場合（ステップＳ１１）に、排便又は排尿の少なくとも一方が済んだことを推定する。このため、このトイレ装置１０は、供給制御部５１Ａによって便器洗浄部４１の供給動作が制御されて便器本体２０に洗浄水が供給される場合、排便又は排尿の少なくとも一方が済んでいる可能性が高い。そのため、トイレ装置１０は、排便又は排尿の少なくとも一方が済み交感神経が落ち着いて脈動が安定した状態において、表示部６５による報知、及び起動部６１Ｂによる脈波センサ６７の起動を行うことができる。
【００４６】
トイレ装置１０は、便座３１への着座を検知する着座検知部４３と、脈波センサ６７が起動した後（ステップＳ１５の後）に脈波センサ６７を用いた測定が行われず（ステップＳ１５でＮｏ）、且つ着座検知部４３によって便座３１からの離座を検知した場合（ステップＳ１６でＹｅｓ）に、脈波センサ６７を停止させる停止部６１Ｃと、を備えている。このため、このトイレ装置１０は、着座検知部４３が使用者の便座３１からの離座を検知する場合、使用者が便座３１から離座して脈波センサ６７を用いた測定が行われなくなる可能性が高い。そして、停止部６１Ｃは、使用者が便座から離座して脈波センサ６７を用いた測定が不要となる場合に、起動状態にある脈波センサ６７を停止させるため、脈波センサ６７を停止しない場合に比べて脈波センサ６７で消費される電力を低減することができる。
【００４７】
＜実施例２＞
次に、実施例２について説明する。
実施例２のトイレ装置１０は、リモートコントローラ６０で局部洗浄の開始操作を行った場合に、脈波センサに関する処理（脈波センサ６７の起動、及び脈波センサ６７を用いた脈波測定を促す報知）を行う点が実施例１と異なる。その他の構成は実施例１と同一であり、同一の構成は同一の符号を付し、詳細な説明を省略する。
【００４８】
実施例２のリモートコントローラ６０の推定部６１Ａは、局部洗浄制御部５１Ｂによって局部洗浄部４２によるオン動作が制御される場合に、排便又は排尿の少なくとも一方が済んだことを推定する。すなわち、推定部６１Ａは、操作ボタン６３Ａの操作によって局部洗浄開始の操作信号を取得した場合に、使用者が排便又は排尿の少なくとも一方が済んだことで局部洗浄を開始する操作を行っているとして、排便又は排尿の少なくとも一方が済んだことを推定する。
【００４９】
図５は、リモートコントローラ６０で実行される制御の流れを示すフローチャートである。リモートコントローラ６０は、使用者が便座３１に着座した状態において、使用者によって局部洗浄の開始操作が行われることで（ステップＳ３１）、図５の処理を開始する。ステップＳ３１は、使用者によって操作ボタン６３Ａが押下されることで局部洗浄操作が行われる。ステップＳ３１の後、リモートコントローラ６０は、局部洗浄を指示する局部洗浄信号を便座装置３０に送信する（ステップＳ３２）。便座装置３０は、局部洗浄信号を受信して、局部洗浄処理を行う。具体的には、便座装置３０は、洗浄ノズル４１Ａを便鉢部２１内に進出させ、先端部から洗浄水が吐出することによって局部を洗浄する。
【００５０】
ステップＳ３２の後、リモートコントローラ６０は、脈波センサ６７を起動させる（ステップＳ３３）。すなわち、リモートコントローラ６０は、ステップＳ３１において局部洗浄の開始操作が行われた場合に、排便又は排尿の少なくとも一方が済んだとして、脈波センサ６７を起動状態にする。以降のステップＳ３４〜ステップＳ４３の処理は、実施例１の図４におけるステップＳ１４〜ステップＳ２３の処理と同様であり、説明を省略する。
【００５１】
実施例２のトイレ装置１０は、推定部６１Ａが、局部洗浄制御部５１Ｂによって局部洗浄部４２によるオン動作が制御される場合に、排便又は排尿の少なくとも一方が済んだことを推定する。このため、このトイレ装置１０は、局部洗浄制御部５１Ｂによって局部洗浄部４２によるオン動作が制御される場合、排便又は排尿の少なくとも一方が済んでいる可能性が高い。そのため、トイレ装置１０は、排便又は排尿の少なくとも一方が済み交感神経が落ち着いて脈動が安定した状態において、表示部６５による報知、及び起動部６１Ｂによる脈波センサ６７の起動を行うことができる。
【００５２】
＜実施例３＞
次に、実施例３について説明する。
実施例３のトイレ装置１０は、リモートコントローラ６０で便検知信号を受信した場合に、脈波センサに関する処理（脈波センサ６７の起動、及び脈波センサ６７を用いた脈波測定を促す報知）を行う点が実施例１と異なる。その他の構成は実施例１と同一であり、同一の構成は同一の符号を付し、詳細な説明を省略する。
【００５３】
このトイレ装置１０は、リモートコントローラ６０の推定部６１Ａは、便検知部４４によって便器本体２０の便鉢部２１内に排泄された大便を検知した場合に排便が済んだことを推定し、又は便検知部４４によって便器本体２０の便鉢部２１内に排泄された小便を検知した場合に排尿が済んだことを推定する。
【００５４】
図６は、リモートコントローラ６０で実行される制御の流れを示すフローチャートである。リモートコントローラ６０は、使用者が便座３１に着座した状態において、便座装置３０から便検知信号を受信したことで（ステップＳ５１）、図６の処理を開始する。便座装置３０は、便検知部４４によって使用者が排泄した便（大便又は小便）を検知した場合に、便を検知した旨の情報を便検知信号としてリモートコントローラ６０に送信する。ステップＳ５１の後、リモートコントローラ６０は、脈波センサ６７を起動させる（ステップＳ５２）。すなわち、リモートコントローラ６０は、ステップＳ５１において便検知信号を受信した場合に、排便又は排尿の少なくとも一方が済んだとして、脈波センサ６７を起動状態にする。以降のステップＳ５３〜ステップＳ６２の処理は、実施例１の図４におけるステップＳ１４〜ステップＳ２３の処理と同様であり、説明を省略する。
【００５５】
実施例３の推定部６１Ａが、便検知部４４によって便器本体２０の便鉢部２１内に排泄された大便を検知した場合に排便が済んだことを推定し、又は便検知部４４によって便器本体２０の便鉢部２１内に排泄された小便を検知した場合に排尿が済んだことを推定する。このため、このトイレ装置１０は、便検知部４４によって便器本体２０の便鉢部２１内に排泄された大便を検知した場合、排便が済んでいる可能性が高く、便検知部４４によって便器本体２０の便鉢部２１内に排泄された小便を検知した場合、排尿が済んでいる可能性が高い。そのため、トイレ装置１０は、排便又は排尿の少なくとも一方が済み交感神経が落ち着いて脈動が安定した状態において、表示部６５による報知、及び起動部６１Ｂによる脈波センサ６７の起動を行うことができる。
【００５６】
本発明は上記記述及び図面によって説明した実施例に限定されるものではなく、例えば次のような実施例も本発明の技術的範囲に含まれる。
（１）実施例１〜３では、リモートコントローラ６０は、所定の処理（ステップＳ１１，Ｓ３１，Ｓ５１）が行われることで、図４〜図６のそれぞれの処理を開始する構成を示したが、朝の時間帯（午前６時〜午前１０時）のみで図４〜図６のそれぞれの処理が行われるようにしてもよい。これにより、使用者が起床後に一日の活動を開始する時点での安定した脈波を測定することができる。また、毎日継続して脈波を測定するように促すことができ、日々の生活による血管年齢などの変化を知ることができる。また、トイレ装置１０は、図４〜図６の少なくともいずれか一つの処理を選択して行うように、リモートコントローラ６０等の操作によって設定が可能な構成としてもよい。
（２）実施例１〜３では、リモートコントローラ６０は、推定部６１Ａが排便又は排尿の少なくとも一方が済んだことを推定した場合に、脈波センサ６７の起動、及び脈波センサ６７を用いた脈波波形のデータの測定を実行する構成であったが、脈波センサ６７の起動、又は脈波測定を促す報知の一方のみを実行してもよい。
（３）実施例１〜３では、制御部６１が、推定部６１Ａの機能を含む構成を示したが、便座装置３０が、推定部６１Ａの機能を含む構成であってもよい。便座装置３０は、推定部６１Ａが排便又は排尿の少なくとも一方が済んだことを推定した場合に、リモートコントローラ６０に排便又は排尿の少なくとも一方が済んだ旨の情報を送信する。そして、リモートコントローラ６０は、排便又は排尿の少なくとも一方が済んだ旨の情報を受信した場合に、脈波センサ６７に関する処理（脈波センサ６７の起動、及び脈波センサ６７を用いた脈波測定を促す報知）を実行する構成であってもよい。
（４）実施例１〜３では、脈波センサ６７は、受光素子が指置き部６７Ａ上に置かれた使用者の指先の血管で反射された光を受光する構成であったが、指先の血管を透過した光を受光する構成（透過型の脈波センサ）であってもよい。
（５）実施例１〜３では、センサの一例として脈波センサ６７を示したが、センサは、指先を測定対象とした測定を行うセンサであれば、血圧計等であってもよい。
（６）実施例１〜３では、便座装置３０とリモートコントローラ６０は、赤外線通信によって信号を送受する構成であったが、Ｂｌｕｅｔｏｏｔｈ（登録商標）等の電波を用いた無線通信方式によって信号を送受してもよい。
（７）実施例１〜３では、着座検知部４３は、公知の赤外線センサによって構成されていたが、静電容量式や体重検知式のセンサであってもよい。
（８）実施例１〜３では、便検知部４４は、赤外線センサを用いて便を検知する構成であったが、超音波やカメラを用いて便を検知してもよい。
（９）実施例１〜３では、便器本体２０は、トイレルームの床面上に設置される床置き式である例を示したが、壁掛け式であってもよい。
（１０）実施例１では、リモートコントローラ６０は、便器洗浄操作を行った場合に、脈波センサ６７に関する処理（脈波センサ６７の起動、及び脈波センサ６７を用いた脈波測定を促す報知）を実行する構成であったが、便器洗浄操作以外のその他の操作を行った場合に、脈波センサ６７に関する処理を行ってもよい。例えば、便座装置３０は、温風によって局部を乾燥させる温風乾燥装置を備え、リモートコントローラ６０は、温風乾燥装置による乾燥処理を行わせる操作が行われた場合に、脈波センサ６７に関する処理を行ってもよい。
（１１）実施例１では、リモートコントローラ６０は、ステップＳ１４で、表示部６５に脈波の測定を促す表示を行うことで報知を行う構成であったが、音声等を発する発音部を備えて、発音部から脈波の測定を促す音声（例えば「脈波センサに指を置いてください」）等を発することで報知を行ってもよい。
（１２）実施例１では、リモートコントローラ６０は、便器洗浄操作（ステップＳ１１）が行われた場合に、脈波センサ６７を起動状態にする構成であったが、便器洗浄の開始（給水弁の開放）に関する情報、又は便器洗浄の終了（給水弁の閉鎖）に関する情報などを便座装置３０から受信したタイミングで脈波センサ６７を起動状態にしてもよい。
（１３）実施例１では、リモートコントローラ６０は、ステップＳ１５で、発光素子から光を照射するとともに受光素子で光が受光された場合に、指置き部６７Ａに指先が置かれたと判定したが、所定時間分の脈波波形のデータが測定された時点で指置き部６７Ａに指先が置かれたと判定してもよい。
（１４）実施例２では、リモートコントローラ６０は、局部洗浄の開始操作（局部洗浄部４２のオン動作を制御する操作）を行った場合に、脈波センサ６７に関する処理（脈波センサ６７の起動、及び脈波センサ６７を用いた脈波測定を促す報知）を行う構成であるが、局部洗浄の終了操作（局部洗浄部４２のオフ動作を制御する操作）を行った場合に、脈波センサ６７に関する処理を行ってもよい。また、リモートコントローラ６０は、局部洗浄の開始操作、及び局部洗浄の終了操作のそれぞれを行った時点で、脈波センサ６７に関する処理を行ってもよい。また、リモートコントローラ６０は、便座装置３０による局部洗浄処理が終了した時点で、局部洗浄処理が終了した旨の局部洗浄終了情報を便座装置３０から受信した場合に、脈波センサ６７に関する処理を行ってもよい。
【符号の説明】
【００５７】
１０…トイレ装置
２０…便器本体
２１…便鉢部
４１…便器洗浄部
４２…局部洗浄部
４３…着座検知部
４４…便検知部
５１Ａ…供給制御部
５１Ｂ…局部洗浄制御部
６１Ａ…推定部
６１Ｂ…起動部
６１Ｃ…停止部
６５…表示部（報知部）
６７…脈波センサ（センサ）
【図１】
2019082011.tif 000003
【図２】
2019082011.tif 000004
【図３】
2019082011.tif 000005
【図４】
2019082011.tif 000006
【図５】
2019082011.tif 000007
【図６】
2019082011.tif 000008